(57)【要約】      （修正有）【課題】連続撮影において、コマ速を維持しつつ、可能な限りノイズの少ないフリッカー対策済み画像を得られることを可能にした撮像装置を提供する。【解決手段】被写体の光学像を光電変換によって電気信号に変換する撮像素子１０５と、撮像素子１０５への光束を遮光するための遮光幕を有したフォーカルプレーンシャッター１０６と、設定したコマ速で連続撮影可能な連続撮影機能と、フォーカルプレーンシャッター１０６の遮光幕の走行タイミングをずらすことでフリッカーの影響を低減する第１のフリッカー補正手段と、画像にゲインをかけることで撮影画像へのフリッカーの影響を低減する第２のフリッカー補正手段と、を有した撮像装置である。光源の電源周期と、連続撮影機能のレリーズタイミングとのずれ量に応じて、第１、第２のフリッカー補正手段を切り替える。【選択図】図２
2017126919.tif 000002
【特許請求の範囲】
【請求項１】
被写体の光学像を光電変換によって電気信号に変換する撮像素子（１０５）と、
前記撮像素子（１０５）の前面に配置され、少なくとも前記撮像素子（１０５）への光束を遮光するための遮光幕を有したフォーカルプレーンシャッター（１０６）と、
設定したコマ速で連続撮影可能な連続撮影機能と、
外光変化を検出可能な外光変化検出手段（１０９）と、
前記外光変化検出手段（１０９）の測定範囲を選択可能な選択部（１１２・１１３）と、
前記外光変化検出手段（１０９）によって得た結果から、光源の電源周期を算出する電源周期算出手段と、
フォーカルプレーンシャッター（１０６）の遮光幕の走行タイミングをずらすことでフリッカーの影響を低減する第１のフリッカー補正手段（Ｓ３１５）と、
画像にゲインをかけることで撮影画像へのフリッカーの影響を低減する第２のフリッカー補正手段（Ｓ３２０）と、
を有した撮像装置において、
前記電源周期算出手段によって前記選択部（１１２・１１３）にて選択された範囲内の光源の電源周期と、前記連続撮影機能のレリーズタイミングとにずれが生じた場合に、
前記選択部（１１２・１１３）にて選択された範囲内の光源の電源周期と、連続撮影機能のレリーズタイミングとのずれ量に応じて、前記第１、第２のフリッカー補正手段を切り替えることを特徴とする撮像装置。
【請求項２】
前記撮像装置は、前記選択部（１１２・１１３）にて選択された範囲内の光源の電源周期と、連続撮影機能のレリーズタイミングとのずれ量が所定値未満の際に、前記第１のフリッカー補正手段（Ｓ３１５）を適用することを特徴とする請求項１に記載の撮像装置。
【請求項３】
前記撮像装置は、前記選択部（１１２・１１３）にて選択された範囲内の光源の電源周期と、連続撮影機能のレリーズタイミングとのずれ量が所定値以上の際に、前記第２のフリッカー補正手段（Ｓ３２０）を適用することを特徴とする請求項１に記載の撮像装置。
【発明の詳細な説明】
【技術分野】
【０００１】
本発明は、デジタルカメラなどの撮像装置に関し、特に撮影時に発生する外光変化による露光ムラ補正に関する。
【背景技術】
【０００２】
近年、デジタルカメラの高ＩＳＯ化に伴い、フリッカーの発生する人工光源下でも高速シャッターが切れるようになってきている。室内スポーツの撮影などでブレのない写真を撮影できるメリットがある一方、フリッカー光源下での高速シャッター撮影では、フリッカーの影響により、フレーム毎に画像の露出や色温度のバラツキが発生してしまうことがある。
【０００３】
このような問題に対して、特許文献１では、連続撮影を行う前にフリッカーを検出した場合、連続撮影のコマ間で光源の電源周期を算出し、光量変化の最大または最小位置での露光を行うことで、フリッカーの影響を防止している。
【０００４】
また、特許文献２では、所定のタイミングで順次撮像し、それぞれの信号レベルを判定した上で、その中から基準となる信号レベルの画像を決定し、基準画像と各画像の比率に応じて、各画像の信号レベルを補正する。その際、比率が所定範囲を超えている場合は、基準画像のみを出力している。
【先行技術文献】
【特許文献】
【０００５】
【特許文献１】特開２０１４−２２０７６３号公報
【特許文献２】特開２００８−１９１１１４号公報
【発明の概要】
【発明が解決しようとする課題】
【０００６】
しかしながら、上述の特許文献１に開示された従来技術を用いて連続撮影を行った場合、光量変化の最大または最小位置での露光を行うと、毎コマとも光量変化の最大または最小位置を待ってレリーズすることになるため、１コマを露光し終えるまでの時間が光源の電源周期によって延びることもあり、コマ速の低下につながってしまう。
【０００７】
また、特許文献２に開示された技術も用いた場合、画像にゲインをかけることで信号レベルを補正しているため、画像中のノイズが酷くなる。
【０００８】
そこで、本発明の目的は、コマ速を維持しつつ、可能な限りノイズの少ないフリッカー対策済み画像を得られることを可能にした撮像装置を提供することにある。
【課題を解決するための手段】
【０００９】
上記の目的を達成するために、本発明に係る撮像装置は、
被写体の光学像を光電変換によって電気信号に変換する撮像素子（１０５）と、
前記撮像素子（１０５）の前面に配置され、少なくとも前記撮像素子（１０５）への光束を遮光するための遮光幕を有したフォーカルプレーンシャッター（１０６）と、
設定したコマ速で連続撮影可能な連続撮影機能と、
外光変化を検出可能な外光変化検出手段（１０９）と、
前記外光変化検出手段（１０９）の測定範囲を選択可能な選択部（１１２・１１３）と、
前記外光変化検出手段（１０９）によって得た結果から、光源の電源周期を算出する電源周期算出手段と、
フォーカルプレーンシャッター（１０６）の遮光幕の走行タイミングをずらすことでフリッカーの影響を低減する第１のフリッカー補正手段（Ｓ３１５）と、
画像にゲインをかけることで撮影画像へのフリッカーの影響を低減する第２のフリッカー補正手段（Ｓ３２０）と、
を有した撮像装置において、
前記電源周期算出手段によって前記選択部（１１２・１１３）にて選択された範囲内の光源の電源周期と、前記連続撮影機能のレリーズタイミングとにずれが生じた場合に、
前記選択部（１１２・１１３）にて選択された範囲内の光源の電源周期と、連続撮影機能のレリーズタイミングとのずれ量に応じて、前記第１、第２のフリッカー補正手段を切り替えることを特徴とする。
【発明の効果】
【００１０】
本発明によれば、連続撮影において、コマ速を維持しつつ、可能な限りノイズの少ないフリッカー対策済み画像を得られることを可能にした撮像装置を提供することができる。
【図面の簡単な説明】
【００１１】
【図１】フリッカーとコマ周期の関係を説明する図である。
【図２】本発明の実施の形態のカメラの構成図である。
【図３】本発明の実施の形態のフローチャートである。
【図４】フリッカーの検出領域と選択部の操作方法を表す図である。
【図５】フリッカー検出動作時の測光出力を表す図である。
【図６】フリッカーのピークタイミングの算出方法を説明する図である。
【図７】フリッカーによる影響と遮光幕補正撮影について説明する図である。
【図８】フリッカーにより取得画像に現れる横縞を説明する図である。
【発明を実施するための形態】
【００１２】
以下に、本発明の好ましい実施の形態を、添付の図面に基づいて詳細に説明する。
【実施例１】
【００１３】
図２は本発明に係るデジタル一眼レフカメラの断面図である。
【００１４】
図２において１００はカメラ本体であり、その前面には撮影レンズ２００が装着される。撮影レンズ２００は交換可能であり、またカメラ本体１００と撮影レンズ２００はマウント接点群１０１を介して電気的にも接続される。さらに撮影レンズ２００の中には、絞り２０１があり、カメラ内に取り込む光量を調整できるようになっている他、フォーカシングレンズ２０２は光軸上を移動することで焦点調節を行う。
【００１５】
１０２はメインミラーであり、ハーフミラーとなっている。メインミラー１０２はファインダー観察状態では撮影光路上に斜設され、撮影レンズ２００からの撮影光束をファインダー光学系へと反射する一方、透過光はサブミラー１０３を介してＡＦセンサー１０４へと入射する。また撮影状態では撮影光路外に退避する。
【００１６】
ＡＦセンサー１０４は位相差検出方式のセンサーである。位相差方式による焦点検出については公知の技術であるため、具体的な制御に関してはここでは省略するが、撮影レンズ２００の二次結像面を焦点検出ラインセンサー上に形成することによって、撮影レンズ２００の焦点調節状態を検出し、その検出結果をもとにフォーカシングレンズ２０２を駆動して自動焦点検出を行う。
【００１７】
１０５は撮像素子であり、１０６はフォーカルプレーンシャッターである。１０７はファインダー光学系を構成する撮影レンズ２００の予定結像面に配置されたピント板であり、１０８はファインダー光路変更用のペンタプリズムである。１０９はＡＥセンサーであり、測光を行う際に使用する。ＡＥセンサー１０９は、破線で示したようにピント板からの光を受光することにより、被写体の明るさを測ることができる。１１０は接眼レンズであり、撮影者は１１１のアイピースを介してピント板１０７を観察することによって、撮影画面を確認することができる。
【００１８】
ディスプレイユニット１１２は一般的には液晶パネルによって構成され、撮影者が撮影した画像や、撮像素子１０５で得られた画像信号をリアルタイムに表示することによって、被写体の様子を観測することができるようになっている。また、ディスプレイユニット内にはタッチセンサーを搭載しており、表面タッチ操作により、画像の領域等が選択可能となっている。選択部１１３はカメラ本体１００に対して操作入力を行うためのものであり、後述の選択範囲１１４を選択するための操作部材である。選択範囲１１４はフリッカーを検出する領域を示しており、領域は任意に拡大、縮小、変形可能となっている。
【００１９】
次に、本発明の実施の形態であるデジタル一眼レフカメラの動作について図３の流れに沿って、図４〜８を用いて説明する。
【００２０】
連写モードにおいて、まずはステップＳ３０１でＳＷ１がＯＮされるのを待つことになる。ＳＷ１がＯＮされると、ステップＳ３０２へ進み、フリッカー検出動作を行う。
【００２１】
ステップＳ３０２は、フリッカーの検出と、検出された場合には、その明暗の周期と、ピーク同期信号を生成するステップである。
【００２２】
図４はフリッカーの検出領域をディスプレイユニット１１２または選択部１１３にて選択している図であり、図４（ａ）はＡＦの測距結果により自動で選択範囲１１４を決定している。また、図４（ｂ）の様に、ディスプレイユニット１１２がタッチ検出されており、ユーザーが手動で選択範囲１１４を決めても良いし、図（ｃ）の様に、ディスプレイユニット外の選択部１１３にて選択範囲１１４を決定しても良い。
【００２３】
フリッカーの検出方法については、まずＡＥセンサー１０９にて蓄積時間１．６６ｍｓの蓄積を連続して１２回行う。仮に商用電源５０Ｈｚ時のフリッカーが存在した場合の蓄積制御と出力測光値を図５（ａ）に示す。ｎ回目の蓄積を『蓄積ｎ』、蓄積ｎの結果の読み出しを『読み出しｎ』、読み出しｎの結果から得られる測光値を『ＡＥ（ｎ）』と記述することとし、図５（ａ）に記した。
【００２４】
各測光値の取得時間に関しては、蓄積は有限の時間を持って行われるため、蓄積期間中の中央値で代表させることとし、ＡＥ（ｎ）を取得した時間を『ｔ（ｎ）』とした。なお、図５（ａ）では、ｎ＝１とｎ＝２のプロットのみ記載したが、ｎ＝３〜１２のプロットに関しても同様である。フリッカー発光周期は１０ｍｓであり、１０÷１．６６≒６であるから、図５（ａ）に示すように、蓄積のタイミングによらず、６回周期で同じ測光値が得られる。すなわち、ＡＥ（ｎ）＝ＡＥ（ｎ＋６）の関係となる。
【００２５】
同様に、商用電源６０Ｈｚ時のフリッカーは、発光周期が８．３３ｍｓであり、８．３３／１．６６≒５であるため、図５（ｂ）に示すように、５回周期で同じ測光値が得られ、ＡＥ（ｎ）＝ＡＥ（ｎ＋５）の関係となる。一方で、フリッカーがない環境下では、ｎによらずＡＥ（ｎ）は一定である。以上より
【００２６】
【数１】
2017126919.tif 000003
【００２７】
として評価値Ｆ５０、Ｆ６０をそれぞれ定義し、所定の閾値Ｆｔｈを用いると、
１．Ｆ５０＜Ｆｔｈ  かつ  Ｆ６０＜Ｆｔｈが成り立つ場合
⇒フリッカーなし
２．Ｆ５０＜Ｆｔｈ  かつ  Ｆ６０≧Ｆｔｈが成り立つ場合
⇒発光周期Ｔ＝１０ｍｓ（電源周波数５０Ｈｚ）のフリッカー環境下
３．Ｆ５０≧Ｆｔｈ  かつ  Ｆ６０＜Ｆｔｈが成り立つ場合
⇒発光周期Ｔ＝８．３３ｍｓ（電源周波数６０Ｈｚ）のフリッカー環境下
と判定することができる。
また、パンニングや被写体が動いてしまったことによって、Ｆ５０とＦ６０の両方がＦｔｈを超えてしまう場合も考えられるので、その場合はＦ５０とＦ６０の大きさを比較し、Ｆ５０の方が小さい場合は発光周期Ｔ＝１０ｍｓ（電源周波数５０Ｈｚ）のフリッカー環境下、Ｆ６０の方が小さい場合は発光周期Ｔ＝８．３３ｍｓ（電源周波数６０Ｈｚ）のフリッカー環境下と判定する。すなわち、
４．Ｆ５０≧Ｆｔｈ  かつ  Ｆ６０≧Ｆｔｈが成り立つ場合
Ｆ５０≦Ｆ６０⇒発光周期Ｔ＝１０ｍｓ（電源周波数５０Ｈｚ）のフリッカー環境下
Ｆ５０＞Ｆ６０⇒発光周期Ｔ＝８．３３ｍｓ（電源周波数６０Ｈｚ）のフリッカー環境下
と判定する。
このようにＦ５０とＦ６０の値からフリッカーの有無と、フリッカーのある場合には、その発光周期を求めることが可能である。
【００２８】
さらにステップＳ３０２では、フリッカーが存在する場合はピークの同期信号を生成する。基本的には、得られた１２個の測光値を補間し、ピークを取る時間ｔ（ｐｅａｋ）を算出する処理である。図６（ａ）はピークタイミングを算出する方法の一例を説明する図である。ＡＥ（１）〜ＡＥ（１２）の中で最大の出力を得た点をＰ２（ｔ（ｍ），ＡＥ（ｍ））とし、その１つ前の測光結果の点をＰ１（ｔ（ｍ−１），ＡＥ（ｍ−１））、１つ後の測光結果の点をＰ３（ｔ（ｍ＋１），ＡＥ（ｍ＋１））とする。ＡＥ（ｍ−１）とＡＥ（ｍ＋１）の小さい方を取る点（図６（ａ）の例ではＰ３）と点Ｐ２の２点を通る直線をｌ１＝ａｔ＋ｂとして求め、ＡＥ１とＡＥ３の大きい方を取る点（図６（ａ）の例ではＰ１）を通り、傾き−ａの直線をｌ２として、ｌ１とｌ２の交点を求めると、ピークタイミングｔ（ｐｅａｋ）と、ピーク時の測光値ＡＥ（ｐｅａｋ）を算出することができる。また、ここまででフリッカーの発光周期Ｔも判明しているため、ｔ＝ｔ（ｐｅａｋ）＋ｎＴ（ｎは自然数）のタイミング毎に変化する図６（ｂ）のようなピーク同期信号を生成する。以上より、ステップＳ３０２では、フリッカーの有無、フリッカー有りだった場合はその発光周期、ピーク測光値、およびピーク同期信号を生成し、ステップＳ３０３へ進む。
【００２９】
ステップＳ３０３は、撮影に先立ち、ＡＥ／ＡＦ動作を行うステップである。まずＡＥに関しては、ＡＥセンサー１０９にて蓄積、読み出しを行い、得られた測光値とカメラ本体内に記憶されたプログラム線図から、露出条件を決定する。また、ＡＦに関してもＡＦセンサー１０４を用い、位相差検出による自動焦点検出を行う。ＡＥ／ＡＦが完了したら、ステップＳ３０４に進む。
【００３０】
ステップＳ３０４では、ステップＳ３０２でフリッカーが検出されたかを判定するステップであり、フリッカーが検出された場合は、ステップＳ３０５へ進み、フリッカー対策を行いつつ連写を行うシーケンスとなる。一方、フリッカーが検出されなかった場合には、通常の連写を行うステップＳ３２１へと進む。
【００３１】
ステップＳ３２１以降は通常の連写であり、ＳＷ２がＯＮされるのを待って、ステップＳ３０４のＡＥ動作で決定された露出条件で露光を行い、ＳＷ２がＯＮのままであれば撮影準備動作と通常の（フリッカーのピークタイミングに同期しない）露光動作を繰り返し、ＳＷ２がＯＦＦされていたら、そこで連写撮影を終了する（ステップＳ３２１〜３２６）。以下、フリッカーのピークタイミングに同期させることなく行う露光動作を『通常撮影』、ピークに同期させた露光動作を『ピーク同期撮影』と記すことにする。
【００３２】
ステップＳ３０４でフリッカーが検出された場合には、ステップＳ３０５へ進む。
【００３３】
ステップＳ３０５は、ステップＳ３０３で決定された露出条件の一つであるシャッタースピードＴＶを評価するステップである。ピーク同期撮影は、撮影時の露光タイミングをフリッカーのピーク近傍に合わせることで、明るさの変動の少ない時間領域で露光を行うのが狙いである。そのため、シャッタースピードが非常に速い場合は有効であるが、シャッタースピードがフリッカー周期に対して長い場合は、明暗の変動が平均化され、撮影画像に対してフリッカーの影響がほとんど出ない。そのため、所定の比率αをカメラ内に所持し、シャッタースピードＴＶとフリッカーの発光周期Ｔの比を評価する。すなわち、
【００３４】
【数２】
2017126919.tif 000004
【００３５】
を満たす場合は、シャッタースピードが発光周期Ｔに対して十分長く、撮影画像に対してフリッカーの影響が十分小さいとして通常撮影を行うシーケンスであるステップＳ３２１に進む。逆に、
【００３６】
【数３】
2017126919.tif 000005
【００３７】
を満たす場合は、ピーク同期撮影の効果が得られるため、ステップＳ３０６に進む。
【００３８】
ステップＳ３０６はＳＷ２を待つステップであり、ＳＷ２がＯＮされたら、ミラーアップ（ステップＳ３０７）を行い、ステップＳ３０８で露光動作を行う。その際は、ステップＳ３０２で生成されたピーク同期信号を元に、ピーク同期撮影を行う。図６（ｃ）に示すように、シャッタースピードがＴＶの場合、時刻ｔ（ｐｅａｋ）−ＴＶ／２からｔ（ｐｅａｋ）＋ＴＶ／２まで露光を行い、ＴＶの中心が時刻ｔ（ｐｅａｋ）に一致するように制御すれば、明暗の変化が少ないタイミングで露光を行うことができる。
【００３９】
ステップＳ３０９はミラーダウンを行いステップＳ３１０へ進む。
【００４０】
ステップＳ３１０は再びＳＷ２  ＯＮを待つステップであり、ＳＷ２がＯＦＦであれば連写撮影を終了し、ＳＷ２  ＯＮであれば２コマ目以降を連写で撮影することになるため、ステップＳ３１１へ進む。
【００４１】
ステップＳ３１１〜３１３では、コマ速を維持したまま遮光幕補正によって撮影可能か判断するため、時間に関する判定を行う。その動作を図１を用いて説明する。
【００４２】
まずステップＳ３１１は連写モードの設定されたコマ速から、１コマにかかる時間ｄＴを算出する。ｄＴはミラーダウン、ＡＦ／ＡＥ、ミラーアップ、シャッタースピードＴＶの一連動作にかかる時間である。算出が終わるとステップＳ３１２へと進む。
【００４３】
ステップＳ３１２では、ステップＳ３０２で生成されたピーク同期信号とステップＳ３１１で算出された１コマにかかる時間ｄＴとのズレ時間ΔＴと、１コマにかかる時間ｄＴ以内に、ミラーダウン、ＡＦ／ＡＥ、ミラーアップ、遮光幕補正によって補正したシャッタースピードＴＶの一連動作が終了可能な限界時間ＴＬを算出する。算出が終わるとステップＳ３１３へ進む。
【００４４】
ステップＳ３１３は、ステップＳ３１２で算出されたズレ時間ΔＴが所定時間ＴＬを超えているか否かを判定し、超えていなかった場合はステップＳ３１４へ進み、フォーカルプレーンシャッター１０６の遮光幕による補正を行いつつ連写撮影を行う（以下：遮光幕補正撮影シーケンス）。一方、ズレ時間ΔＴが所定時間ＴＬを超えていた場合は、ステップＳ３１７へ進み通常撮影を行い、フリッカーの影響を受けた画像を、画像処理により補正を行いつつ連写撮影を行う（以下：画像補正撮影シーケンス）。
【００４５】
図１（ａ）はΔＴによってΔＥＶほど光量が低下した状態で撮影されることを表した図であり、ΔＴ＜ＴＬの関係となっているため、遮光幕撮影可能と判定される。また、図１（ｂ）はΔＴ´によってΔＥＶ´ほど光量が低下した状態で撮影されることを表した図であり、ΔＴ´＞ＴＬの関係となっているため、遮光幕撮影不可と判定される。
【００４６】
遮光幕補正撮影シーケンス（ステップＳ３１４〜３１６）ではステップＳ３１４にてミラーアップを行い、ステップＳ３１５にて、遮光幕の走行タイミングを前後させることによって撮影時の露光量を補正する。図７を用いて説明する。
【００４７】
まず、本実施例では、実際のシャッター走行時は、フォーカルプレーンシャッター１０６の露光幕と遮光幕が、時間をずらしてスリットを形成して、画面を垂直方向に上から下まで走行する。よって、画面上部と下部では露光タイミングが異なるため、フリッカー環境下では横縞が発生する。
【００４８】
図７（ａ）はピーク同期撮影時の測光結果と画像の明暗を現した図であり、ＴＶの中心が時刻ｔ（ｐｅａｋ）に一致するように制御しているため、明暗の変化が少ない露光を行うことが可能である。
【００４９】
しかし、コマ速を落とすことなくｔ（ｐｅａｋ）から遅れた状態で撮影を行うと、図７（ｂ）の様に画面上からグラデーションの様に明暗が発生してしまうため、ユーザーが一番綺麗に写って欲しい箇所が暗くなってしまうことがある。
【００５０】
そこで、図７（ｃ）の様にステップＳ３１２によって算出したΔＴの値と、ステップＳ３０２のフリッカーの検出結果から、ｔ（ｐｅａｋ）からの光量変化分ΔＥＶを算出し、
【００５１】
【数４】
2017126919.tif 000006
【００５２】
に基づいてフォーカルプレーンシャッター１０６の遮光幕の走行タイミングを補正することによって、ユーザーが所望の箇所のフリッカーの影響を改善した画像を得ることが可能となる。
【００５３】
遮光幕補正撮影を終えると、ステップＳ３１６へ進み、ミラーダウンの後に、ステップＳ３１０へ戻って次のコマのシーケンスに進む。
【００５４】
次に、画像補正撮影シーケンス（ステップＳ３１７〜３２０）ではステップＳ３１７にてミラーアップを行い、通常撮影（ステップＳ３１８）、ミラーダウン（ステップＳ３１９）を経て、ステップＳ３２０にて、フリッカーの影響を受けた画像を、画像処理により補正する。フリッカー環境下での通常撮影では画像に横縞が発生してしまうが、ステップＳ３０２でフリッカーの明暗を実際に１．６６ｍｓ間隔で測光した結果を保持しており、また通常露光したタイミングもＲとしてステップＳ３１８で取得しているため、画面に現れる横縞を数値的に算出することができる。図８を用いて説明する。
【００５５】
ステップＳ３０２で取得したフリッカー検出のための１２回の測光結果が図８のようになっていたとすると、ピークからＲ［ｍｓ］だけ遅れた時間から、シャッターが走行するので、例えば画面一番上のラインは時刻Ｒｓ１〜Ｒｓ２の測光値を積分した明るさになり、画面一番下のラインは、Ｒｅ１〜Ｒｅ２間の測光値を積分した明るさとなる。したがって、図８の例では、画面上部が明るく、画面下部に向かって暗くなる画像が取得される。以上より、ステップＳ３０２で取得した１２回の測光結果を何らかの関数（例えば｜Ｓｉｎ（ｔ）｜）で補間し、画面上部から下部までの各ライン毎に、シャッターの走行タイミングに対応した時間区間の測光値を積分すれば、画面の垂直方向位置ごとの明るさを得ることができる。よって、例えば最も明るくなるラインの明るさを基準にライン毎に明るさの比をとり、その逆数を補正値として各ラインに乗算すれば、フリッカーの影響を改善した画像を得ることができる。  ステップＳ３２０で画像補正による撮影を終えたら、ステップＳ３１０へ戻って次のコマのシーケンスに進む。
【００５６】
以上、本発明の好ましい実施形態について説明したが、本発明はこれらの実施形態に限定されず、その要旨の範囲内で種々の変形及び変更が可能である。
【符号の説明】
【００５７】
１０５  撮像素子、１０６  フォーカルプレーンシャッター、１０９  ＡＥセンサー、
１１２  ディスプレイユニット、１１３  選択部
【図１】
2017126919.tif 000007
【図２】
2017126919.tif 000008
【図３】
2017126919.tif 000009
【図４】
2017126919.tif 000010
【図５】
2017126919.tif 000011
【図６】
2017126919.tif 000012
【図７】
2017126919.tif 000013
【図８】
2017126919.tif 000014